【手続補正書】
【提出日】平成17年8月30日(2005.8.30)
【手続補正１】
【補正対象書類名】明細書
【補正対象項目名】特許請求の範囲
【補正方法】変更
【補正の内容】
【特許請求の範囲】
【請求項１】  巻回部を有するコイルと、閉磁路を形成し一部が前記コイルの巻回部内に挿入される挿入部を有するコアとを備えたトランスにおいて、
前記コアの挿入部の断面形状が、下式で規定する扁平率または楕円率が３０％〜９０％の扁平形または楕円形をしていることを特徴とするトランス。
扁平率または楕円率＝（Ｘ／Ｙ）×１００
式中Ｘ：挿入部の厚み方向の幅
Ｙ：挿入部の長さ方向の幅
【請求項２】  コア挿入穴を有するコイルボビンと、前記コイルボビンに巻回されたコイルと、閉磁路を形成し一部が前記コイルボビンのコア挿入穴に挿入される挿入部を有するコアとを備えたトランスにおいて、
前記コイルボビンのコア挿入穴の断面形状ならびに前記コアの挿入部の断面形状が、下式で規定する扁平率または楕円率が３０％〜９０％の扁平形または楕円形をしていることを特徴とするトランス。
扁平率または楕円率＝（Ｘ／Ｙ）×１００
式中Ｘ：挿入部の厚み方向の幅
Ｙ：挿入部の長さ方向の幅
【請求項３】  巻回部を有するコイルと、
前記コイルの巻回部内に挿入される挿入部と、前記挿入部と平行に延びた対向脚部と、前記挿入部と対向脚部を繋ぐ連結部とを有して閉磁路を形成するコアとを備えたトランスにおいて、
前記コアの挿入部の断面形状が扁平形または楕円形をしており、前記コアの対向脚部ならびに連結部の厚み方向の幅が前記挿入部の厚み方向の幅とほぼ同じであることを特徴とするトランス。
【請求項４】  コア挿入穴を有するコイルボビンと、
前記コイルボビンに巻回されたコイルと、
前記コイルボビンのコア挿入穴に挿入される挿入部と、前記挿入部と平行に延びた対向脚部と、前記挿入部と対向脚部を繋ぐ連結部とを有して閉磁路を形成するコアとを備えたトランスにおいて、
前記コアの挿入部の断面形状が扁平形または楕円形をしており、前記コアの対向脚部ならびに連結部の厚み方向の幅が前記挿入部の厚み方向の幅とほぼ同じになっており、
前記コイルボビンのコア挿入穴も断面形状が扁平形または楕円形をしていることを特徴とするトランス。
【請求項５】  巻回部を有するコイルと、
前記コイルの巻回部内に挿入される挿入部と、前記挿入部と平行に延びた対向脚部と、前記挿入部と対向脚部を繋ぐ連結部とを有して閉磁路を形成するコアとを備えたトランスにおいて、
前記コアの挿入部、対向脚部ならびに連結部の断面形状がともに扁平形または楕円形をしていることを特徴とするトランス。
【請求項６】  コア挿入穴を有するコイルボビンと、
前記コイルボビンに巻回されたコイルと、
前記コイルボビンのコア挿入穴に挿入される挿入部と、前記挿入部と平行に延びた対向脚部と、前記挿入部と対向脚部を繋ぐ連結部とを有して閉磁路を形成するコアとを備えたトランスにおいて、
前記コアの挿入部、対向脚部、連結部ならびに前記コイルボビンのコア挿入穴の断面形状がともに扁平形または楕円形をしていることを特徴とするトランス。
【請求項７】  コア挿入穴を有するコイルボビンと、前記コイルボビンに巻回されたコイルと、閉磁路を形成し一部が前記コイルボビン内に挿入される挿入部を有するコアとを備えたトランスにおいて、
前記コイルボビンは、複数の端子をそれぞれ保持する複数の端子保持部を外周部に設け、
前記コイルボビンのコア挿入穴の中心軸または前記コアの挿入部の中心軸が、前記複数の端子の配列の中心からずれていることを特徴とするトランス。
【請求項８】  コア挿入穴を有するコイルボビンと、前記コイルボビンに巻回されたコイルと、閉磁路を形成し一部が前記コイルボビン内に挿入される挿入部を有するコアとを備えたトランスにおいて、
前記コイルボビンは、複数の端子をそれぞれ保持する複数の端子保持部を外周部に設け、
前記コイルボビンのコア挿入穴を挟んで対向する前記端子保持部の長さが異なることを特徴とするトランス。
【請求項９】  低圧コイルと、高圧コイルと、閉磁路を形成し前記コイルの巻回部内に挿入される挿入部を有するコアとを収納した本体ケースと、
電子部品を収納したフォーカスパックケースを有し、
前記本体ケースの開口部とフォーカスパックケースの開口部とを対向するように組み合わせたフライバックトランスにおいて、
前記コアの挿入部の断面形状が、下式で規定する扁平率または楕円率が３０％〜９０％の扁平形または楕円形をしていることを特徴とするフライバックトランス。
扁平率または楕円率＝（Ｘ／Ｙ）×１００
式中Ｘ：挿入部の厚み方向の幅
Ｙ：挿入部の長さ方向の幅
【請求項１０】  コア挿入穴を有するコイルボビンと、前記コイルボビンに巻回された低圧コイルならびに高圧コイルと、閉磁路を形成し前記コイルボビンのコア挿入穴に挿入される挿入部を有するコアとを収納した本体ケースと、
電子部品を収納したフォーカスパックケースを有し、
前記本体ケースの開口部とフォーカスパックケースの開口部とを対向するように組み合わせたフライバックトランスにおいて、
前記コイルボビンのコア挿入穴の断面形状ならびに前記コアの挿入部の断面形状がともに、下式で規定する扁平率または楕円率が３０％〜９０％の扁平形または楕円形をしていることを特徴とするフライバックトランス。
扁平率または楕円率＝（Ｘ／Ｙ）×１００
式中Ｘ：挿入部の厚み方向の幅
Ｙ：挿入部の長さ方向の幅
【請求項１１】  低圧コイルと、高圧コイルと、前記コイルの巻回部内に挿入される挿入部、前記挿入部と平行に延びた対向脚部ならびに前記挿入部と対向脚部を繋ぐ連結部とを有して閉磁路を形成するコアとを収納した本体ケースと、
電子部品を収納したフォーカスパックケースを有し、
前記本体ケースの開口部とフォーカスパックケースの開口部とを対向するよう
に組み合わせたフライバックトランスにおいて、
前記コアの挿入部の断面形状が扁平形または楕円形をしており、前記コアの対向脚部ならびに連結部の厚み方向の幅が前記挿入部の厚み方向の幅とほぼ同じであることを特徴とするフライバックトランス。
【請求項１２】  コア挿入穴を有するコイルボビンと、前記コイルボビンに巻回された低圧コイルならびに高圧コイルと、前記コイルボビンのコア挿入穴に挿入される挿入部、前記挿入部と平行に延びた対向脚部ならびに前記挿入部と対向脚部を繋ぐ連結部とを有して閉磁路を形成するコアとを収納した本体ケースと、
電子部品を収納したフォーカスパックケースを有し、
前記本体ケースの開口部とフォーカスパックケースの開口部とを対向するように組み合わせたフライバックトランスにおいて、
前記コアの挿入部の断面形状が扁平形または楕円形をしており、前記コアの対向脚部ならびに連結部の厚み方向の幅が前記挿入部の厚み方向の幅とほぼ同じであることを特徴とするフライバックトランス。
【請求項１３】  低圧コイルと、高圧コイルと、前記コイルの巻回部内に挿入される挿入部、前記挿入部と平行に延びた対向脚部ならびに前記挿入部と対向脚部を繋ぐ連結部とを有して閉磁路を形成するコアとを収納した本体ケースと、
電子部品を収納したフォーカスパックケースを有し、
前記本体ケースの開口部とフォーカスパックケースの開口部とを対向するように組み合わせたフライバックトランスにおいて、
前記コアの挿入部、対向脚部ならびに連結部の断面形状がともに扁平形または楕円形をしていることを特徴とするフライバックトランス。
【請求項１４】  コアを挿入するコア挿入穴を有するコイルボビンと、前記コイルボビンに巻回された低圧コイルならびに高圧コイルと、前記コイルの巻回部内に挿入される挿入部、前記挿入部と平行に延びた対向脚部ならびに前記挿入部と対向脚部を繋ぐ連結部とを有して閉磁路を形成するコアとを収納した本体ケースと、
電子部品を収納したフォーカスパックケースを有し、
前記本体ケースの開口部とフォーカスパックケースの開口部とを対向するように組み合わせたフライバックトランスにおいて、
前記コアの挿入部、対向脚部、連結部ならびに前記コイルボビンのコア挿入穴の断面形状がともに扁平形または楕円形をしていることを特徴とするフライバックトランス。
【請求項１５】  低圧コイルと、高圧コイルと、閉磁路を形成し前記コイルの巻回部内に挿入される挿入部を有してするコアとを収納した本体ケースと、
電子部品を収納したフォーカスパックケースを有し、
前記本体ケースの開口部とフォーカスパックケースの開口部とを対向するように組み合わせたフライバックトランスにおいて、
前記コアの挿入部の断面形状が扁平形または楕円形をしており、
前記コアの挿入部の長手方向が、前記本体ケースとフォーカスパックケースの対向方向とほぼ直交する方向に配置されていることを特徴とするフライバックトランス。
【請求項１６】  コア挿入穴を有するコイルボビンと、前記コイルボビンに巻回された低圧コイルならびに高圧コイルと、閉磁路を形成し前記コイルボビンのコア挿入穴に挿入される挿入部を有するコアとを収納した本体ケースと、
電子部品を収納したフォーカスパックケースを有し、
前記本体ケースの開口部とフォーカスパックケースの開口部とを対向するように組み合わせたフライバックトランスにおいて、
前記コイルボビンのコア挿入穴の断面形状ならびに前記コアの挿入部の断面形状がともに扁平形または楕円形をしており、
前記コアの挿入部の長手方向が、前記本体ケースとフォーカスパックケースの対向方向とほぼ直交する方向に配置されていることを特徴とするフライバックトランス。
【請求項１７】  コア挿入穴を有し外周部に複数の端子を配列したコイルボビンと、前記コイルボビンに巻回された低圧コイルならびに高圧コイルと、閉磁路を形成し一部が前記コイルボビンのコア挿入穴に挿入される挿入部を有するコアとを収納した本体ケースと、
電子部品を収納したフォーカスパックケースを有し、
前記本体ケースの開口部とフォーカスパックケースの開口部とを対向するよう
に組み合わせたフライバックトランスにおいて、
前記コイルボビンのコア挿入穴の中心軸または前記コアの挿入部の中心軸を、前記複数の端子の配列の中心からフォーカスパックケースと反対側にずらして配置したことを特徴とするフライバックトランス。
【請求項１８】  請求項１７記載のフライバックトランスにおいて、前記コイルボビンのコア挿入穴の断面形状ならびに前記コアの挿入部の断面形状がともに扁平形または楕円形をしており、
前記コア挿入穴ならびに挿入部の長手方向が、前記本体ケースとフォーカスパックケースの対向方向とほぼ直交する方向に配置されていることを特徴とするフライバックトランス。
【手続補正２】
【補正対象書類名】明細書
【補正対象項目名】００１０
【補正方法】変更
【補正の内容】
【００１０】
【発明が解決しようとする課題】
図１５に示す従来のＦＢＴは、コイル３，４の中心軸Ｐ（コイルボビン１０及びコア１１の中心軸）とピン端子５の配列の中心を同一軸上に配置している。そしてＦＢＴの底面積は、コイルボビン１０、特にそれのピン端子５を支持する端子台座１５の配置により制約されるため、コイル３，４の小径化を図っても、ＦＢＴ全体の小型化の効果が少ないという欠点を有している。
【手続補正３】
【補正対象書類名】明細書
【補正対象項目名】００１５
【補正方法】変更
【補正の内容】
【００１５】
本発明の目的は、トランスの信頼性を向上させることにある。
【手続補正４】
【補正対象書類名】明細書
【補正対象項目名】００１６
【補正方法】変更
【補正の内容】
【００１６】
【課題を解決するための手段】
前記目的を達成するために、本発明の第１の手段は、巻回部を有するコイルと、閉磁路を形成し一部が前記コイルの巻回部内に挿入される挿入部を有するコアとを備えたトランスにおいて、
前記コアの挿入部の断面形状が、下式で規定する扁平率または楕円率が３０％〜９０％の扁平形または楕円形をしていることを特徴とするものである。
扁平率または楕円率＝（Ｘ／Ｙ）×１００
式中Ｘ：挿入部の厚み方向の幅
Ｙ：挿入部の長さ方向の幅
【手続補正５】
【補正対象書類名】明細書
【補正対象項目名】００１７
【補正方法】変更
【補正の内容】
【００１７】
本発明の第２の手段は、コア挿入穴を有するコイルボビンと、前記コイルボビンに巻回されたコイルと、閉磁路を形成し一部が前記コイルボビンのコア挿入穴に挿入される挿入部を有するコアとを備えたトランスにおいて、
前記コイルボビンのコア挿入穴の断面形状ならびに前記コアの挿入部の断面形状が、下式で規定する扁平率または楕円率が３０％〜９０％の扁平形または楕円形をしていることを特徴とするものである。
扁平率または楕円率＝（Ｘ／Ｙ）×１００
式中Ｘ：挿入部の厚み方向の幅
Ｙ：挿入部の長さ方向の幅
【手続補正６】
【補正対象書類名】明細書
【補正対象項目名】００１８
【補正方法】変更
【補正の内容】
【００１８】
本発明の第３の手段は、巻回部を有するコイルと、
前記コイルの巻回部内に挿入される挿入部と、前記挿入部と平行に延びた対向脚部と、前記挿入部と対向脚部を繋ぐ連結部とを有して閉磁路を形成するコアとを備えたトランスにおいて、
前記コアの挿入部の断面形状が扁平形または楕円形をしており、前記コアの対向脚部ならびに連結部の厚み方向の幅が前記挿入部の厚み方向の幅とほぼ同じであることを特徴とするものである。
【手続補正７】
【補正対象書類名】明細書
【補正対象項目名】００１９
【補正方法】変更
【補正の内容】
【００１９】
本発明の第４の手段は、コア挿入穴を有するコイルボビンと、
前記コイルボビンに巻回されたコイルと、
前記コイルボビンのコア挿入穴に挿入される挿入部と、前記挿入部と平行に延びた対向脚部と、前記挿入部と対向脚部を繋ぐ連結部とを有して閉磁路を形成するコアとを備えたトランスにおいて、
前記コアの挿入部の断面形状が扁平形または楕円形をしており、前記コアの対向脚部ならびに連結部の厚み方向の幅が前記挿入部の厚み方向の幅とほぼ同じになっており、
前記コイルボビンのコア挿入穴も断面形状が扁平形または楕円形をしていることを特徴とするものである。
【手続補正８】
【補正対象書類名】明細書
【補正対象項目名】００２０
【補正方法】変更
【補正の内容】
【００２０】
本発明の第５の手段は、巻回部を有するコイルと、
前記コイルの巻回部内に挿入される挿入部と、前記挿入部と平行に延びた対向脚部と、前記挿入部と対向脚部を繋ぐ連結部とを有して閉磁路を形成するコアとを備えたトランスにおいて、
前記コアの挿入部、対向脚部ならびに連結部の断面形状がともに扁平形または楕円形をしていることを特徴とするものである。
【手続補正９】
【補正対象書類名】明細書
【補正対象項目名】００２１
【補正方法】変更
【補正の内容】
【００２１】
本発明の第６の手段は、コア挿入穴を有するコイルボビンと、
前記コイルボビンに巻回されたコイルと、
前記コイルボビンのコア挿入穴に挿入される挿入部と、前記挿入部と平行に延びた対向脚部と、前記挿入部と対向脚部を繋ぐ連結部とを有して閉磁路を形成するコアとを備えたトランスにおいて、
前記コアの挿入部、対向脚部、連結部ならびに前記コイルボビンのコア挿入穴の断面形状がともに扁平形または楕円形をしていることを特徴とするものである。
【手続補正１０】
【補正対象書類名】明細書
【補正対象項目名】００２２
【補正方法】変更
【補正の内容】
【００２２】
本発明の第７の手段は、コア挿入穴を有するコイルボビンと、前記コイルボビンに巻回されたコイルと、閉磁路を形成し一部が前記コイルボビン内に挿入される挿入部を有するコアとを備えたトランスにおいて、
前記コイルボビンは、複数の端子をそれぞれ保持する複数の端子保持部を外周部に設け、
前記コイルボビンのコア挿入穴の中心軸または前記コアの挿入部の中心軸が、前記複数の端子の配列の中心からずれていることを特徴とするものである。
本発明の第８の手段は、コア挿入穴を有するコイルボビンと、前記コイルボビンに巻回されたコイルと、閉磁路を形成し一部が前記コイルボビン内に挿入される挿入部を有するコアとを備えたトランスにおいて、
前記コイルボビンは、複数の端子をそれぞれ保持する複数の端子保持部を外周部に設け、
前記コイルボビンのコア挿入穴を挟んで対向する前記端子保持部の長さが異なることを特徴とするものである。
本発明の第９の手段は、低圧コイルと、高圧コイルと、閉磁路を形成し前記コイルの巻回部内に挿入される挿入部を有するコアとを収納した本体ケースと、
電子部品を収納したフォーカスパックケースを有し、
前記本体ケースの開口部とフォーカスパックケースの開口部とを対向するように組み合わせたフライバックトランスにおいて、
前記コアの挿入部の断面形状が、下式で規定する扁平率または楕円率が３０％〜９０％の扁平形または楕円形をしていることを特徴とするものである。
扁平率または楕円率＝（Ｘ／Ｙ）×１００
式中Ｘ：挿入部の厚み方向の幅
Ｙ：挿入部の長さ方向の幅
本発明の第１０の手段は、コア挿入穴を有するコイルボビンと、前記コイルボビンに巻回された低圧コイルならびに高圧コイルと、閉磁路を形成し前記コイルボビンのコア挿入穴に挿入される挿入部を有するコアとを収納した本体ケースと、
電子部品を収納したフォーカスパックケースを有し、
前記本体ケースの開口部とフォーカスパックケースの開口部とを対向するように組み合わせたフライバックトランスにおいて、
前記コイルボビンのコア挿入穴の断面形状ならびに前記コアの挿入部の断面形状がともに、下式で規定する扁平率または楕円率が３０％〜９０％の扁平形または楕円形をしていることを特徴とするものである。
扁平率または楕円率＝（Ｘ／Ｙ）×１００
式中Ｘ：挿入部の厚み方向の幅
Ｙ：挿入部の長さ方向の幅
本発明の第１１の手段は、低圧コイルと、高圧コイルと、前記コイルの巻回部内に挿入される挿入部、前記挿入部と平行に延びた対向脚部ならびに前記挿入部と対向脚部を繋ぐ連結部とを有して閉磁路を形成するコアとを収納した本体ケースと、
電子部品を収納したフォーカスパックケースを有し、
前記本体ケースの開口部とフォーカスパックケースの開口部とを対向するよう
に組み合わせたフライバックトランスにおいて、
前記コアの挿入部の断面形状が扁平形または楕円形をしており、前記コアの対向脚部ならびに連結部の厚み方向の幅が前記挿入部の厚み方向の幅とほぼ同じであることを特徴とするものである。
本発明の第１２の手段は、コア挿入穴を有するコイルボビンと、前記コイルボビンに巻回された低圧コイルならびに高圧コイルと、前記コイルボビンのコア挿入穴に挿入される挿入部、前記挿入部と平行に延びた対向脚部ならびに前記挿入部と対向脚部を繋ぐ連結部とを有して閉磁路を形成するコアとを収納した本体ケースと、
電子部品を収納したフォーカスパックケースを有し、
前記本体ケースの開口部とフォーカスパックケースの開口部とを対向するように組み合わせたフライバックトランスにおいて、
前記コアの挿入部の断面形状が扁平形または楕円形をしており、前記コアの対向脚部ならびに連結部の厚み方向の幅が前記挿入部の厚み方向の幅とほぼ同じであることを特徴とするものである。
本発明の第１３の手段は、低圧コイルと、高圧コイルと、前記コイルの巻回部内に挿入される挿入部、前記挿入部と平行に延びた対向脚部ならびに前記挿入部と対向脚部を繋ぐ連結部とを有して閉磁路を形成するコアとを収納した本体ケースと、
電子部品を収納したフォーカスパックケースを有し、
前記本体ケースの開口部とフォーカスパックケースの開口部とを対向するように組み合わせたフライバックトランスにおいて、
前記コアの挿入部、対向脚部ならびに連結部の断面形状がともに扁平形または楕円形をしていることを特徴とするものである。
本発明の第１４の手段は、コアを挿入するコア挿入穴を有するコイルボビンと、前記コイルボビンに巻回された低圧コイルならびに高圧コイルと、前記コイルの巻回部内に挿入される挿入部、前記挿入部と平行に延びた対向脚部ならびに前記挿入部と対向脚部を繋ぐ連結部とを有して閉磁路を形成するコアとを収納した本体ケースと、
電子部品を収納したフォーカスパックケースを有し、
前記本体ケースの開口部とフォーカスパックケースの開口部とを対向するように組み合わせたフライバックトランスにおいて、
前記コアの挿入部、対向脚部、連結部ならびに前記コイルボビンのコア挿入穴の断面形状がともに扁平形または楕円形をしていることを特徴とするものである。
本発明の第１５の手段は、低圧コイルと、高圧コイルと、閉磁路を形成し前記コイルの巻回部内に挿入される挿入部を有してするコアとを収納した本体ケースと、
電子部品を収納したフォーカスパックケースを有し、
前記本体ケースの開口部とフォーカスパックケースの開口部とを対向するように組み合わせたフライバックトランスにおいて、
前記コアの挿入部の断面形状が扁平形または楕円形をしており、
前記コアの挿入部の長手方向が、前記本体ケースとフォーカスパックケースの対向方向とほぼ直交する方向に配置されていることを特徴とするものである。
本発明の第１６の手段は、コア挿入穴を有するコイルボビンと、前記コイルボビンに巻回された低圧コイルならびに高圧コイルと、閉磁路を形成し前記コイルボビンのコア挿入穴に挿入される挿入部を有するコアとを収納した本体ケースと、
電子部品を収納したフォーカスパックケースを有し、
前記本体ケースの開口部とフォーカスパックケースの開口部とを対向するように組み合わせたフライバックトランスにおいて、
前記コイルボビンのコア挿入穴の断面形状ならびに前記コアの挿入部の断面形状がともに扁平形または楕円形をしており、
前記コアの挿入部の長手方向が、前記本体ケースとフォーカスパックケースの対向方向とほぼ直交する方向に配置されていることを特徴とするものである。
本発明の第１７の手段は、コア挿入穴を有し外周部に複数の端子を配列したコイルボビンと、前記コイルボビンに巻回された低圧コイルならびに高圧コイルと、閉磁路を形成し一部が前記コイルボビンのコア挿入穴に挿入される挿入部を有するコアとを収納した本体ケースと、
電子部品を収納したフォーカスパックケースを有し、
前記本体ケースの開口部とフォーカスパックケースの開口部とを対向するよう
に組み合わせたフライバックトランスにおいて、
前記コイルボビンのコア挿入穴の中心軸または前記コアの挿入部の中心軸を、前記複数の端子の配列の中心からフォーカスパックケースと反対側にずらして配置したことを特徴とするものである。
本発明の第１８の手段は、前記コイルボビンのコア挿入穴の断面形状ならびに前記コアの挿入部の断面形状がともに扁平形または楕円形をしており、
前記コア挿入穴ならびに挿入部の長手方向が、前記本体ケースとフォーカスパックケースの対向方向とほぼ直交する方向に配置されていることを特徴とするものである。
【手続補正１１】
【補正対象書類名】明細書
【補正対象項目名】００２３
【補正方法】変更
【補正の内容】
【００２３】
【発明の実施の形態】
コイル部に挿入されたコア部分は、鉄損による自己発熱と銅損による発熱の影響を受けて温度上昇する。コイル部とコアの温度上昇は、相互干渉する。ところがコイル部から離れた位置にあるコアの対向脚部や連結部はコイル部の影響を受けず、コアの温度は鉄損による自己発熱だけで決まる。よって対向脚部や連結部の温度上昇は挿入部の温度上昇より低い。本実施形態はコアのどの部分でも同一温度を保ち、しかも小型、軽量で低コスト化が図れる。
【手続補正１２】
【補正対象書類名】明細書
【補正対象項目名】００２６
【補正方法】変更
【補正の内容】
【００２６】
挿入部１１の扁平率（Ｘ／Ｙ）×１００（図３参照）は３０〜９０％の範囲が好ましく、さらに４０〜８０％の範囲が好ましい。図３に示すように、前記Ｘは挿入部１１の厚み方向の幅、Ｙは挿入部１１の長さ方向の幅を示しており、挿入部１１の断面形状を扁平形にして薄くすることに伴い、対向脚部１２と連結部１３もその挿入部１１にほぼ合わせた薄さになっている。また、図３ならびに図４に示すように、挿入部１１、対向脚部１２ならびに連結部１３の断面形状はともに扁平形をしている。
【手続補正１３】
【補正対象書類名】明細書
【補正対象項目名】００２９
【補正方法】変更
【補正の内容】
【００２９】
図５は本実施形態で用いるコア１の表面積算出用の寸法図、図７は従来のコア７の表面積算出用の寸法図で、これらの図において（ａ）はコアの平面図、（ｂ）はコアの右側面図、（ｃ）はコアの左側面図であり、図示していないが寸法の単位はｍｍである。
【手続補正１４】
【補正対象書類名】明細書
【補正対象項目名】００３８
【補正方法】変更
【補正の内容】
【００３８】
コアの表面積を増大して放熱効果を高める手段は、ＦＢＴ以外のトランスにも適用可能である。またコイルボビンを使用しないボビンレスにも適用できる。
前記実施形態のように、コアの挿入部の断面形状を円形から扁平形または楕円形にすることにより、同一断面積を確保して、表面積を大きくすることができ、放熱効果が高まり、温度上昇が低減でき、トランス，ＦＢＴの信頼性の向上が図れ、しかも小型・軽量化、コストの低減が図れる。
また前記実施形態のように、コイルボビンあるいはコアの中心軸Ｐ１をピン端子配列の中心Ｐ２からフォーカスパックと反対側にずらして配置することにより、ＦＢＴの小型・軽量化が図れる。
さらに前記実施形態のように、ＦＢＴの温度上昇が低減でき、信頼性の向上が図れ、しかも小型・軽量化、コストの低減が図れる。
【手続補正１５】
【補正対象書類名】明細書
【補正対象項目名】００３９
【補正方法】変更
【補正の内容】
【００３９】
【発明の効果】
本発明によれば、トランスの信頼性を向上させることが可能になる。
【手続補正１６】
【補正対象書類名】明細書
【補正対象項目名】００４０
【補正方法】削除
【補正の内容】
【手続補正１７】
【補正対象書類名】明細書
【補正対象項目名】００４１
【補正方法】削除
【補正の内容】